(57)【特許請求の範囲】
【請求項１】
容器に装着され放出口を有するボタンを被うキャップ本体と、このキャップ本体の外郭の少なくとも一部をなす蓋体とを備え、
上記蓋体は、加圧部及びヒンジ部を介して上記キャップ本体と連結しており、
上記加圧部と上記キャップ本体とが連結している部分は、屈曲可能な第１の屈曲部で、
上記加圧部と上記蓋体とが連結している部分は、屈曲可能な第２の屈曲部で、
上記ヒンジ部と上記キャップ本体とが連結している部分は、屈曲可能な第３の屈曲部で、
上記ヒンジ部と上記蓋体とが連結している部分は、屈曲可能な第４の屈曲部で、
上記第１の屈曲部、上記第２の屈曲部、上記第３の屈曲部及び上記第４の屈曲部はそれぞれ平行で、
上記加圧部は、上記蓋体が開放して形成される開放口と反対側に配置され、
上記ヒンジ部は、上記加圧部の左右近傍の少なくとも一方に配置され、
上記加圧部は、上記第１の屈曲部を中心に回動し、
上記ヒンジ部は、上記第３の屈曲部を中心に回動し、
上記第３の屈曲部は、上記加圧部の回動に伴って動く第２の屈曲部の軌道と横方向に平行な軌道上に位置し、
上記第４の屈曲部は、上記第２の屈曲部の軌道の外側かつ上記蓋体の開放口側に位置し、
上記ヒンジ部の回動半径は、上記加圧部の回動半径より小さく、
上記加圧部は、上記蓋体が開放したときに上記ボタンの上端に接する位置に設けられている
ことを特徴とする蓋付キャップ。
【請求項２】
上記ボタンの外側には、上記放出口の向きと平行な側壁部が設けてあり、
上記キャップ本体の内側には、上記蓋体の開放口の向きと平行な内側壁が設けてあり、
上記容器に装着されたとき、上記側壁部と上記内側壁とが接する
ことを特徴とする請求項１に記載の蓋付キャップ。
【請求項３】
上記ボタンは、断面が円形ではない形状で、
上記キャップ本体が、上記ボタンの少なくとも周方向に合致するボタンホルダーを備え、
上記ボタンホルダーの下端には、上記蓋体の開放口の向きと同方向に板部材が設けられ、
上記板部材は、上記キャップ本体の端部と連結している
ことを特徴とする請求項１に記載の蓋付キャップ。
【請求項４】
上記ボタンは、矩形で、
上記ボタンホルダーは、上記ボタンに合致するキャップ状のもので、  
上記ボタンホルダーの側面には、上記ボタンの放出口が開放される位置に開口が設けられている
ことを特徴とする請求項３に記載の蓋付キャップ。
【請求項５】
上記ボタンは、放出口を有するボタン本体と、このボタン本体を支持する土台部とを備え、
上記ボタン本体の下端には、上記放出口の向きと同方向に板部材が設けてあり、
上記板部材は、上記土台部の上端縁と連結している
ことを特徴とする請求項１乃至４のいずれか１項に記載の蓋付キャップ。
【請求項６】
上記ボタンは、上記キャップ本体と一体成型されたもので、
上記ボタンの下端には、上記蓋体の開放口の向きと同方向に板部材が設けてあり、
上記板部材は、上記キャップ本体の端部と連結している
ことを特徴とする請求項１に記載の蓋付キャップ。
【請求項７】
上記ボタンは、外方向に突き出たノズルを有し、
上記放出口は、上記ノズルの先端にあり、
上記蓋体の裏面には、液垂防止部が設けられており、
上記液垂防止部は、上記蓋体が閉じているときに上記放出口に接する位置に設けられている
ことを特徴とする請求項１乃至６のいずれか１項に記載の蓋付キャップ。
【発明の詳細な説明】
【技術分野】
【０００１】
本発明は、ボタンが押されて内容物が出る容器に用いられる蓋付キャップに関し、さらに詳しくはこのキャップの一部をなす蓋体の開放に伴ってこのボタンが押されて内容物が出る蓋付キャップに関するものである。
【背景技術】
【０００２】
従来から、内容物が入った容器の取出口を被うキャップが多数用いられている。この場合ヒンジを介して蓋体を開放する構造になっているため、キャップの紛失や付け忘れが発生しない。しかしながらキャップ本体のフックから蓋体を外すには、指で蓋体を上方向に弾いたりもう一方の手で容器を支えながら蓋体を押し上げたりしなければならない構造であるため手間が掛かる。
【０００３】
そこで容器を持ちながら、この持っている手の指で押圧操作部を押して蓋部を開けるワンプッシュオープンキャップに関する発想（例えば特許文献１参照。）が提案されている。この文献では、指の押圧力により押圧操作部が直線化を招き、本体側のヒンジ溝と蓋部の折曲部との対角線距離が拡張されることにより、蓋部が開放されると説明している（段落「００２４」）。
【先行技術文献】
【特許文献】
【０００４】
【特許文献１】特許第４００７５２１号
【発明の概要】
【発明が解決しようとする課題】
【０００５】
しかしながら上述した先行技術文献の発想では、容器を傾けて取出口を斜めにしなければ内容物が出ない。すなわち押圧操作部は蓋体を開放するためだけに押圧されるものである。したがって例えばボタンが押されて内容物が出るスプレータイプの容器に使用することができない。
【０００６】
スプレータイプにおいても、衛生や安全の観点からボタンを保護するキャップが付属されている。ところが利用者はスプレーを使用する度にキャップを外さなければならず、このキャップを紛失したり付け忘れてしまったりすることがある。そしてキャップをしなければ、放出口に埃などが付着して汚れるため、内容物が出難くなってしまう。このことからスプレーにはキャップが必須の付属品であることが伺える。したがってスプレータイプにも取り外さずに使用できる構造を備えたキャップを装着すべきである。
【０００７】
また通常、ボタンは容器に着脱可能で固定されていない。このため使用中に回転して放出口の向きが変わってしまう恐れがある。このためボタンが固定された状態を擬似的に形成すべきである。
【０００８】
またキャップとボタンとが別々だと、それぞれ異なる工程で製造しなければならないばかりでなく、それぞれ別々に品質検査したり組立したりしなければならない。したがってこの問題を解決するには、キャップとボタンとが一体の構造であるべきである。
【０００９】
そこで本発明の第１の目的は、キャップを取り外すことなくボタンが押されて内容物が放出する蓋付キャップを提供することにある。
【００１０】
本発明の第２の目的は、ボタンが押されたときに常に所望の方向に内容物が放出する蓋付キャップを提供することにある。
【００１１】
本発明の第３の目的は、同じ製造工程でキャップとボタンとが一体的に製造される蓋付キャップを提供することにある。
【課題を解決するための手段】
【００１２】
上記課題を解決するために、本発明による蓋付キャップは、キャップ本体に蓋体を設け、この蓋体が開放される動作に伴ってボタンが押されることを特徴としている。
【００１３】
すなわち本発明による蓋付キャップは、容器に装着され内容物の放出口を有するボタンを被うキャップ本体と、このキャップ本体の外郭の少なくとも一部をなす蓋体とを備え、上記蓋体は、加圧部及びヒンジ部を介して上記キャップ本体と連結しており、上記加圧部と上記キャップ本体とが連結している部分は、屈曲可能な第１の屈曲部で、上記加圧部と上記蓋体とが連結している部分は、屈曲可能な第２の屈曲部で、上記ヒンジ部と上記キャップ本体とが連結している部分は、屈曲可能な第３の屈曲部で、上記ヒンジ部と上記蓋体とが連結している部分は、屈曲可能な第４の屈曲部で、上記第１の屈曲部、上記第２の屈曲部、上記第３の屈曲部及び上記第４の屈曲部はそれぞれ平行で、上記加圧部は、上記蓋体が開放して形成される開放口と反対側に配置され、上記ヒンジ部は、上記加圧部の左右近傍の少なくとも一方に配置され、上記加圧部は、上記第１の屈曲部を中心に回動し、上記ヒンジ部は、上記第３の屈曲部を中心に回動し、上記第３の屈曲部は、上記加圧部の回動に伴って動く第２の屈曲部の軌道と横方向に平行な軌道上に位置し、上記第４の屈曲部は、上記第２の屈曲部の軌道の外側かつ上記蓋体の開放口側に位置し、上記ヒンジ部の回動半径は、上記加圧部の回動半径より小さく、上記ヒンジ部は、上記蓋体が開放したときに上記ボタンの上端に接する位置に設けられている。
【００１４】
また上記ボタンの外側には、上記放出口の向きと平行な側壁部が設けてあり、上記キャップ本体の内側には、上記蓋体の開放口の向きと平行な内側壁が設けてあり、上記容器に装着されたとき、上記側壁部と上記内側壁とが接することが望ましい。
【００１５】
また上記ボタンは、断面が円形ではない形状で、上記キャップ本体が、上記ボタンの少なくとも周方向に合致するボタンホルダーを備え、上記ボタンホルダーの下端には、上記蓋体の開放口の向きと同方向に板部材が設けられ、上記板部材は、上記キャップ本体の端部と連結していることが望ましい。
【００１６】
また上記ボタンは、矩形で、上記ボタンホルダーは、上記ボタンに合致するキャップ状のもので、上記ボタンホルダーの側面には、上記ボタンの放出口が開放される位置に開口が設けられていることが望ましい。
【００１７】
また上記ボタンは、放出口を有するボタン本体と、このボタン本体を支持する土台部とを備え、上記ボタン本体の下端には、上記放出口の向きと同方向に板部材が設けてあり、上記板部材は、上記土台部の上端縁と連結していることが望ましい。
【００１８】
また上記ボタンは、上記キャップ本体と一体成型されたもので、上記ボタンの下端には、上記蓋体の開放口の向きと同方向に板部材が設けてあり、上記板部材は、上記キャップ本体の端部と連結していることが望ましい。
【００１９】
また上記ボタンは、外方向に突き出たノズルを有し、上記放出口は、上記ノズルの先端にあり、上記蓋体の裏面には、液垂防止部が設けられており、上記液垂防止部は、上記蓋体が閉じているときに上記放出口に接する位置に設けられていることが望ましい。
【００２０】
ここで「キャップ本体」や「ボタン」の形状は、円柱形のみならず、楕円形や矩形も該当する。「放出口」は、例えばミスト状、液状又はムース状の内容物を放出するものが該当する。「蓋体」の形状は、上端面の一部を成す板型、上端面及び側周面の一部を成すＬ字型またはキャップ本体の上部全体を成す全体型が該当する。
【００２１】
「加圧部」とは、加圧されて蓋体を開放する応力をこの蓋体に伝えるものを意味する。「ヒンジ部」は、蓋体の回動をコントロールするものを意味する。「蓋体の開放口と反対側」とは、「蓋体の開放口」が前方とした場合、「反対側」は後方となることを意味する。「加圧部の左右近傍」とは、左右の横方向のみならず、斜め上方向も該当する。  
【００２２】
「第１の屈曲部」、「第２の屈曲部」、「第３の屈曲部」及び「第４の屈曲部」は、部材にスリットやＶ字の溝を設けたものばかりでなく、蝶番も該当する。第３の屈曲部が「第２の屈曲部の回転軌道上に位置し」とは、例えば蓋体が閉じている場合に第２の屈曲部と第３の屈曲部とが一直線上に並ぶ状態が該当する。
【００２３】
ヒンジ部が「蓋体を開放したときにボタンの上端に接する」とは、少なくとも第２の屈曲部近傍が接することが該当する。
【００２４】
「側壁部」は、例えばボタンの外側を平面にカットしたものばかりでなく、平面状の凸部や、複数の凸部を設けて全体で平面を形成するものが該当する。
【００２５】
「断面が円形ではない形状」のボタンには、矩形や楕円形に限らず、ボタンホルダーを装着したときにこのボタンホルダーの内部で回転しないものが全て含まれる。
【００２６】
「ボタンホルダー」は、例えばリング状のものやキャップ状のものが該当する。それぞれの内側には、滑り止め部材や粘着素材などが付されていてもよい。
【００２７】
「ノズル」の向きは、横方向、縦方向又は斜め方向のいずれも含む。
【発明の効果】
【００２８】
本発明による蓋付キャップは、所定の位置に設けたヒンジ部の回動半径が加圧部の回動半径より小さいことにより、加圧部に加わった力に対する反力がヒンジ部から蓋体に伝わって、蓋体が回動する。さらに加圧部は蓋体が開放したときにボタンの上端に接する位置に設けられていることにより、蓋体の開放に伴ってボタンが押される。したがってキャップを取り外すことなくボタンが押され、内容物が放出する構造を実現することができる。
【００２９】
また容器に装着されたとき、ボタン外側の側壁部とキャップ本体内側の内側壁とが接することにより、ボタンを回転させず一定の向きに固定することができる。したがってボタンが押されたときに、常に所望の方向に内容物が放出する構造を実現することができる。
【００３０】
またボタンは断面が円形ではない形状で、ボタンホルダーがこのボタンの少なくとも周方向に合致することにより、ボタンを回転させず一定の向きに固定することができる。さらにボタンホルダーが蓋体の開放口の向きと同方向に設けた板部材を介してキャップ本体の端部と連結していることにより、押されたボタンの動きに応じて上下に柔軟に可動する。したがってボタンが押されたときに、常に所望の方向に内容物が放出する構造を実現することができる。
【００３１】
またボタンホルダーが矩形のボタンに合致するキャップ状のもので、このボタンホルダーの側面にボタンの放出口が開放される位置に開口が設けられていることにより、ボタンの動きに対してボタンホルダーが抜けたりずれたりすることなく常に所望の方向に内容物が放出する構造を実現することができる。
【００３２】
またボタンがキャップ本体と一体成型されたもので、このボタンが蓋体の開放口の向きと同方向に設けた板部材を介してキャップ本体の端部と連結していることにより、押された加圧部の動きに応じて柔軟に可動する。したがって同じ製造工程でキャップとボタンとが一体的に製造される構造を実現することができる。
【００３３】
また蓋体の裏面にある液垂防止部が、この蓋体を閉じているときにノズルの放出口を接する位置に設けられていることにより、使用後にノズルの先端に残った液が液垂防止部に塞き止められて垂れないようにすることができる。すなわち液垂防止部がノズルの放出口を塞いだ状態を形成する。
【図面の簡単な説明】
【００３４】
【図１】蓋付キャップの斜視図及び断面図である。
【図２】他のボタンの斜視図及び他の蓋付キャップの各種断面図である。
【図３】他のボタンの斜視図及び他の蓋付キャップの各種断面図である。
【図４】他の蓋付キャップにおける各種断面図である。
【図５】他の蓋付キャップにおける各種断面図である。
【図６】他の蓋付キャップにおける各種断面図である。
【図７】他の蓋付キャップの斜視図及び断面図である。
【発明を実施するための形態】
【００３５】
以下図１〜図６を参照しつつ、本発明による蓋付キャップについて説明する。初めに、図１を用いてこの蓋付キャップの基本構造について説明する。図１（ａ）は蓋付キャップの外観図、図１（ｂ）及び図１（ｃ）は既存のキャップに代えてこの蓋付キャップを使用した状態の断面図についてそれぞれ示す。なおボタンがあることを仮想して点線で表示してある。
【００３６】
さて図１（ａ）及び図１（ｂ）に示すように、この蓋付キャップは、容器Ｓに装着され放出口Ｎを有するボタン５を被う円筒状の中空なキャップ本体１と、このキャップ本体１の上端面及び側周面の一部をなしているＬ字型の蓋体２とを備えている。蓋体２は、板状の加圧部３及びヒンジ部４を介してキャップ本体１と連結している。加圧部３とキャップ本体１とが連結している部分は、屈曲可能な第１の屈曲部３１である。加圧部３と蓋体２とが連結している部分は、屈曲可能な第２の屈曲部３２である。ヒンジ部４とキャップ本体１とが連結している部分は、屈曲可能な第３の屈曲部４１である。ヒンジ部４と蓋体２とが連結している部分は、屈曲可能な第４の屈曲部である。第１の屈曲部３１、第２の屈曲部３２、第３の屈曲部４１及び第４の屈曲部４２はそれぞれ平行で、蓋体２が開放して形成される開放口Ｈの向きと直交する向きに設けられている。加圧部３は、蓋体２の開放口Ｈと反対側に配置されている。ヒンジ部４は、加圧部３の左右近傍にそれぞれ配置されている。加圧部３は、第１の屈曲部３１を中心に回動する。ヒンジ部４は、第３の屈曲部４１を中心に回動する。第３の屈曲部４１は、加圧部３の回動に伴って動く第２の屈曲部３２の軌道と横方向に平行な軌道上に位置する。第４の屈曲部４２は、第２の屈曲部３２の軌道の外側かつ蓋体２の開放口Ｈ側に位置する。ヒンジ部４の回動半径は、加圧部３の回動半径より小さい。加圧部３は、蓋体２が開放したときにボタン５の上端に接する位置に設けられている。
【００３７】
キャップ本体１、蓋体２、加圧部３及びヒンジ部４は、一体的に射出成型された構造である。キャップ本体１には、蓋体２、加圧部３及びヒンジ部４が配置する切り欠き部が設けてある。この切り欠き部は、キャップ本体１の上端面を横断し、側周面の前方及び後方に至っている。蓋体２は、切り欠き部の開放口Ｈ側の上方を被い、キャップ本体１の上端面及び側周面と面一になるように配置されている。加圧部３は、斜めにして指が宛がえるように配置されている。ヒンジ部４は、キャップ本体１の上端面及び蓋体２の上端面と面一になるように配置されている。
【００３８】
第１の屈曲部３１は、蓋体２の開放口Ｈと反対側のキャップ本体１の切り欠き部端縁と連結して形成されている。第３の屈曲部４１は、蓋体２の開放口Ｈと反対側のキャップ本体１の切り欠き部内側壁から突出している突出部の上端と連結して形成されている。
【００３９】
なお蓋体２の開放口Ｈと同じ側のキャップ本体１の切り欠き部端縁には、この蓋体を固定するフックＦが設けられている。加圧部３の表面には、指の滑りを防止する突起部が設けてある。蓋体２の閉鎖時には、加圧部３と突出部とが面一になる。ボタン５の内部中央には、容器Ｓのバルブ先端が差し込まれる穴が設けてある。
【００４０】
次に図１（ｂ）及び図１（ｃ）を用いて、この蓋付キャップを使用した場合の動作説明をする。なおこれらの図は、図１（ａ）に示すＡ−Ａ部分から断面視したものである。
【００４１】
蓋体２が閉じた状態に加圧部３が加圧されると、この加圧による応力が蓋体２の上端面に平行な方向と直角な方向とに分散する。蓋体２は、平行な方向に分散した力により横方向に動くため、フックＦが外れる。フックＦが外れると、直角な方向に分散した力により加圧部３が第１の屈曲部３１を中心に下方に回動する。このとき蓋体２は加圧部３と連結しているため、下方に引っ張られる。しかし蓋体２は、加圧部３の回動半径より小さい回動半径で回動するヒンジ部４と連結しているため、上方に向かって回動する。すなわち蓋体２は、加圧部に加わった力に対する反力がヒンジ部から蓋体に伝わり、蓋体が回動する。第４の屈曲部４２を中心に回動する。蓋体２が開放してボタン５の放出口Ｎが表に出始めたとき、加圧部３は少なくともボタン５の上端に接する。さらに加圧部３が加圧されると、ボタン５の後方が傾いてバルブ先端が押されて内容物が放出する。
【００４２】
したがってこの蓋付キャップは、所定の位置に設けたヒンジ部４の回動半径が加圧部３の回動半径より小さいことにより、この加圧部に加わった力に対する反力がこのヒンジ部から蓋体２に伝わって、この蓋体が回動する。さらに加圧部３は蓋体２が開放したときにボタン５の上端に接する位置に設けられていることにより、この蓋体の開放に伴ってこのボタンが押される。したがってキャップを取り外すことなくボタン５が押され内容物が放出する構造を実現することができる。
【００４３】
なお内容物の種類は、整髪料、化粧品、デオドラント、殺虫剤、防水剤、防虫剤、冷却剤、消臭剤、錆止め、香水又は調味料などに用いられるものに限らず全て該当する。蓋付キャップを装着するには、キャップ本体１の下端から容器Ｓの上部に嵌め込む方法や、このキャップ本体の下端をこの容器の上部に設けられた溝又は淵に嵌め込む方法がある。
【００４４】
図２〜図６は、他の蓋付キャップについて説明するものである。
【００４５】
なお図１で示した部品または部位と同等のものは、参照を容易にする等のため、図２において一律１００を加えた番号にしている（以下図３〜図６も同様に、一律２００〜５００を加えた番号にしている。）。図１を含む各図を用いて説明したことと同じ内容についての説明は省略する。
【００４６】
図２（ａ）は代替用のボタンの斜視図、図２（ｂ）は蓋付キャップの断面図、図２（ｃ）はこのボタンが装着された容器の断面図、図２（ｄ）はこの蓋付キャップを使用した状態の断面図についてそれぞれ示す。
【００４７】
図２（ａ）に示すように、ボタン１０５の両側面には、放出口Ｎの向きと平行にそれぞれ平面な側壁部１５１が設けられている。また図２（ｂ）に示すように、キャップ本体１０１に設けた切り欠き部の内側には、蓋体１０２の開放口Ｈの向きと平行な内側壁１１１が設けられている。キャップ本体１０１が容器に装着された場合、側壁部１５１に内側壁１１１が接する。なお図２ｃに示すように、ボタン１０５は容器Ｓに接しておらず、浮いた状態で装着される。
【００４８】
次に図２（ｄ）を用いて、この蓋付キャップを使用した場合の動作説明をする。
【００４９】
キャップ本体１０１が装着されると、ボタン１０５の側壁部１５１と内側壁１１１が接する。このときボタン１０５の放出口Ｎは、蓋体１０２の開放口Ｈの方向を向いて固定される。
【００５０】
したがってこの蓋付キャップが容器に装着されたとき、ボタン外側の側壁部とキャップ本体内側の内側壁とが接することにより、ボタン１０５を回転させず一定の向きに固定することができる。したがってボタン１０５が押されたときに常に所望の方向に内容物が放出する構造を実現することができる。
【００５１】
図３（ａ）は蓋付キャップ付属のスパウト式ボタンの斜視図、図３（ｂ）はこの蓋付キャップの断面図及び図３（ｃ）はこの蓋付キャップ及びスパウト式ボタンを使用した状態の断面図について示す。
【００５２】
図３（ａ）に示すように、スパウト式ボタン２０５は、放出口Ｎを有するボタン本体２５１と、このボタン本体を支持する円筒形の土台部２５２とを備えている。ボタン本体２５１の下端には、放出口Ｎと同方向に板部材２５１ａが設けてある。板部材２５１ａは、土台部２５２の上端縁と連結している。  板部材２５１ａの幅は、土台部２５２と連結している部分を中心にしてボタン本体２５１が上下に揺動できる程度の寸法が望ましい。なおキャップ本体２０１は、土台部２５２の階段状になっている部分に嵌めこまれる。
【００５３】
次に図３（ｄ）を用いて、この蓋付キャップを使用した場合の動作説明をする。
【００５４】
キャップ本体２０１が装着されると、ボタン本体２５１の平面部２５１ｂと内側壁２１１が接する。このときボタン２０５の放出口Ｎは、蓋体２０２の開放口Ｈの方向を向いて固定される。
【００５５】
したがってこの蓋付キャップが容器に装着されたとき、スパウト式ボタン外側の側壁部２５１ｂとキャップ本体内側の内側壁２１１とが接することにより、スパウト式ボタン２０５を回転させず一定の向きに固定することができる。したがってスパウト式ボタン２０５が押されたときに常に所望の方向に内容物が放出する構造を実現することができる。さらにスパウト式ボタン２０５と蓋付キャップとを組み合わせてセット販売することができる。
【００５６】
図４（ａ）は他の蓋付キャップの断面図、図４（ｂ）はこの蓋付キャップを使用する容器の断面図、図４（ｃ）はこの蓋付キャップを使用した状態の断面図についてそれぞれ示す。
【００５７】
図４（ａ）及び図４（ｂ）に示すように、この蓋付キャップは、矩形のボタン３０５を有する容器Ｓに装着されるものである。キャップ本体３０１は、ボタン３０５に合致するキャップ状のボタンホルダー３０６を備えている。ボタンホルダー３０６の側面には、ボタン３０５の放出口Ｎが開放される位置に円形の開口３６１が設けられている。ボタンホルダー３０６の下端には、蓋体３０２が開放する向きと同方向に板部材３６２が一体的に設けてある。板部材３６２は、開放口Ｈ近傍のキャップ本体３０１の端部と連結している。板部材３６２の幅は、キャップ本体３０１の端部と連結している部分を中心にしてボタンホルダー３０６が上下に揺動できる程度の寸法が望ましい。
【００５８】
なおボタン３０５及びボタンホルダー３０６は、矩形に限らず断面が円形でも楕円形のものでもよい。この場合ボタンホルダー３０６はボタン３０５の周方向に合致するリング状のボタンホルダーでもよい。
【００５９】
次に図４（ｄ）を用いて、この蓋付キャップを使用した場合の動作説明をする。
【００６０】
キャップ本体３０１が容器Ｓに装着されると、ボタン３０５がボタンホルダー３０６に嵌め込まれる。放出口Ｎは、開口３６１の位置に来る。蓋体３０２が開放してボタン３０５の放出口Ｎが表に出始めたとき、加圧部３０３はボタンホルダー３０６を介してボタン３０５の上端に接する。
【００６１】
したがってボタンホルダー３０６が矩形のボタン３０５に合致するキャップ状のもので、ボタンの放出口Ｎが開放される位置に開口３６２が設けられていることにより、このボタンの動きに対してボタンホルダーが抜けたりずれたりすることなく常に所望の方向に内容物が放出する構造を実現することができる。
【００６２】
図５（ａ）及び図５（ｂ）はボタンと一体型の蓋付キャップを使用した状態の断面についてそれぞれ示す。
【００６３】
図５（ａ）及び図５（ｂ）に示すように、ボタン４０５はキャップ本体４０１と一体的に成型されている。ボタン４０５の下端には、蓋体４０２の開放口Ｈの向きと同方向に板部材４５２が設けてある。板部材４５２は、キャップ本体４０１の端部と連結している。
【００６４】
したがってボタン４０５がキャップ本体４０１と一体成型されたもので、このボタンが蓋体４０２の開放口Ｈの向きと同方向に設けた板部材４５２を介してキャップ本体の端部と連結していることにより、押された加圧部４０３の動きに応じて柔軟に可動する。したがって同じ製造工程でキャップとボタンとが一体的に製造される構造を実現することができる。
【００６５】
図６（ａ）及び図６（ｂ）は液垂防止部が設けてある蓋体を備えたキャップを使用した状態の断面についてそれぞれ説明する。
【００６６】
図６（ａ）及び（ｂ）に示すように、ボタン５０５は、横方向に突き出たノズル５５３を有している。放出口Ｎはこのノズルの先端にある。Ｌ字型の蓋体５０２の前部裏面には液垂防止部５２１が設けられている。液垂防止部５２１は、蓋体５０２が閉じているときに放出口Ｎを塞ぐ位置に配置されている。液垂防止部５２１には、放出口Ｎの寸法に合致する突起部があってもよい。
【００６７】
したがって蓋体５０２の裏面にある液垂防止部５２１が、この蓋体が閉じているときにノズル５５３の放出口Ｎを塞ぐ位置に配置されていることにより、使用後にこのノズルの先端に残った液が液垂防止部に塞き止められて垂れないようにすることができる。
【００６８】
図７（ａ）はムースに適した蓋付キャップの斜視図、図７（ｂ）はこの蓋付キャップを使用した状態の断面図についてそれぞれ示す。
【００６９】
図７（ａ）及び図７（ｂ）に示すように、キャップ本体６０１は蓋体６０２の開放口Ｈの方が狭まった形状をしている。キャップ本体６０１の切り欠き部は三角状を成し、蓋体６０２はこの切り欠き部の上方を被っている。ボタン６０５は、斜め上方向に突き出たノズル６５３を有している。開放口Ｈはノズル６５３の先端と略同じの大きさで、このノズルの先端がこの開放口を塞いでいる。
【００７０】
したがってボタン６０５のノズル６５３の先端が開放口Ｈを塞いでいることにより、例えばムース状も下に垂れ難く放出し易い。
【００７１】
なお本実施形態における各種蓋付キャップの形状や構造は一例に過ぎず、例えばキャップ本体に設けたワンプッシュオープンタイプの蓋体が開放される動作に伴って容器既設のボタン、スパウト式ボタン又はこのキャップ本体に一体成型されたボタンが押圧されるものや、この容器既設のボタンやスパウト式ボタンを回転させず一定の向きに固定するもの（いわゆるボタンの位置決め機構）であれば、この各種蓋付キャップに限定されるものではなく、本発明の趣旨を逸脱しない範囲で適時変更が可能である。また上記各種蓋付キャップは、それぞれの形状や構造を組み合わせて構成してもよい。
【００７２】
上記各種蓋付キャップが装着される容器は、スプレータイプのエアゾール缶やポンプ式のディスペンサーなどが該当する。エアゾール缶は、例えば容器本体と、この容器本体の上部先端に突き出たバルブ（ステム）と、このバルブが挿入され内容物を放出する際に押されるボタン（アクチュエータ）とを備え、その他の部材や部品は従来技術に沿うものであるため説明を省略する。
【産業上の利用可能性】
【００７３】
本発明における蓋体付キャップは、内容物を放出する容器を製造販売する業界に限らず、ボタンが押されスイッチが入ると内容物が放出する玩具やスイッチが入ると発光する電灯具などに関する産業に広く利用可能である。
【符号の説明】
【００７４】
１、１０１〜６０１      キャップ本体
２、１０２〜６０２      蓋体
３、１０３〜６０３      加圧部
３１                    第１の回転部分
３２                    第２の回転部分
４、１０４〜６０４      ヒンジ部
４１                    第３の回転部分
４２                    第４の回転部分
５、１０５〜６０５      ボタン
Ｆ                      フック
Ｈ                      開放口
Ｎ                      放出口
Ｓ                      容器
【図１】
0005922975.tif 000002
【図２】
0005922975.tif 000003
【図３】
0005922975.tif 000004
【図４】
0005922975.tif 000005
【図５】
0005922975.tif 000006
【図６】
0005922975.tif 000007
【図７】
0005922975.tif 000008